(57)【要約】【課題】山間地などクレーン車が進入できないような場所においても、鉄塔に新しい送信アンテナを設置できるアンテナの取付方法を提供する。【解決手段】昼間の予備作業時に鉄塔１１の上部側面に台棒２１を設置し、この台棒２１に既設アンテナ取付柱１２の頂部振止金物２２を取付ける。更に鉄塔１１に移設用架台２３を設置する。この移設用架台２３において、既設アンテナ取付柱１２の下端部とアンテナ移設位置を結ぶ位置に滑り板２８を取付け、放送を終了した夜間にジャッキ２９ａ、２９ｂを操作し、既設アンテナ取付柱１２を所定の位置まで移動させる。その後、昼間時に新設送信アンテナを索道により鉄塔１１の上部に吊り上げ、既設送信アンテナ１３の移設により確保したスペースに据え付ける。次いで放送終了後の停波時間にアンテナ切替え作業を行ない、作業終了後に移設用架台２３、台棒２１等を撤去する。【選択図】図２
2006211108.tif 000002
【特許請求の範囲】
【請求項１】
鉄塔の上部に設置された既設アンテナを新規のアンテナに取替えるアンテナの取付方法において、
前記鉄塔の上部に移設用架台を設置し、該移設用架台を利用して前記既設アンテナを前方に移設し、前記既設アンテナの移設により生じた鉄塔上部のスペースに新規のアンテナを取付け、その後、前記既設アンテナ及び移設用架台を撤去することを特徴とするアンテナの取付方法。
【発明の詳細な説明】
【技術分野】
【０００１】
本発明は、鉄塔の上部に設置されている既設アンテナを新規のアンテナに取替えるアンテナの取付方法に関する。
【背景技術】
【０００２】
地上テレビジョン放送では、従来から行なわれているアナログテレビ放送の他にデジタルテレビ放送（ＩＳＤＢ−Ｔ：Terrestrial Integrated Services Digital Broadcasting）が２００３年から関東、近畿及び中京広域圏で開始され、また、２００６年までにその他の地域で放送開始が予定されている。
【０００３】
このためテレビ放送の中継局等においては、現行のアナログ放送用のアンテナをアナログ及びデジタル放送が可能なアンテナに交換する必要が生じている。
【０００４】
従来、鉄塔に取付けられている既存のアンテナを新しいアンテナに取替える方法としては、鉄塔よりも高く延びる伸縮アームを備えたクレーン車を使用して既設のアンテナを新しいアンテナに取替える方法がある。
【０００５】
しかし、テレビ放送の中継局は、クレーン車が進入できない山間部が多く、クレーン車を使用できない。  
上記のようにクレーン車を使用できない場所において、鉄塔に取付けられている既存のアンテナを新しいアンテナに取替える方法としては、鉄塔の頂部と地上との間に索道を設置し、既設のアンテナを取り外して上記索道により地上に降ろし、その後、新しいアンテナを上記索道により鉄塔頂部に引上げて設置する方法がある（例えば、特許文献１参照。）。
【特許文献１】特開平８−２２２９２３号公報
【発明の開示】
【発明が解決しようとする課題】
【０００６】
テレビ放送の中継局におけるアンテナを取替える場合、深夜にテレビ放送を終了してから朝の放送を開始する迄の非常に短い停波時間中に作業を行なわなければならない。しかし、従来のように鉄塔の頂部と地上との間に索道を設置し、既設のアンテナを取り外して索道により地上に降ろし、その後、新しいアンテナを索道により鉄塔頂部に引上げて設置する方法では、非常に時間が掛かり、深夜の短い停波時間中に作業を終了することは困難である。
【０００７】
本発明は上記の課題を解決するためになされたもので、クレーン車を使用できない場所においても、深夜の停波時間を有効に利用して、鉄塔上の既存のアンテナを新規のアンテナに取替えることができるアンテナの取付方法を提供することを目的とする。
【課題を解決するための手段】
【０００８】
本発明は、鉄塔の上部に設置された既設アンテナを新規のアンテナに取替えるアンテナの取付方法において、
前記鉄塔の上部に移設用架台を設置し、該移設用架台を利用して前記既設アンテナを前方に移設し、前記既設アンテナの移設により生じた鉄塔上部のスペースに新規のアンテナを取付け、その後、前記既設アンテナ及び移設用架台を撤去することを特徴とする。
【発明の効果】
【０００９】
本発明によれば、既存の鉄塔が高くてクレーン車を使用できない場合、あるいは山間地などクレーン車が進入できないような場所においても、既存の鉄塔に移設用架台を設置し、既設アンテナを前方に移設して新規アンテナの取付スペースを確保することにより、この取付スペースに新規アンテナを短時間で設置することができ、深夜の短い停波時間中に既設アンテナを新規アンテナに取替えることができる。
【発明を実施するための最良の形態】
【００１０】
以下、図面を参照して本発明の一実施形態を説明する。  
図１から図４は、鉄塔の上部に設置されている既存の送信アンテナを新設送信アンテナに取替える場合の作業工程を示したものである。図１はアンテナの取付工事を開始する前の状態を示す図、図２（ａ）は既設送信アンテナの移設作業を説明するための鉄塔上部の側面図、図２（ｂ）は同上面図、図３（ａ）は新設送信アンテナの設置作業を説明するための鉄塔全体を示す側面図、図３（ｂ）は同図（ａ）における鉄塔上部の側面図、図４（ａ）は既設送信アンテナを撤去した状態を示す鉄塔上部の側面図、図４（ｂ）は新設送信アンテナの取付け完了後の状態を示す鉄塔上部の側面図である。
【００１１】
この実施形態は、既存の鉄塔に移設用架台を設置して既設送信アンテナを前方に移設してアンテナの取付スペースを確保し、この取付スペースに新設送信アンテナを設置することにより、既設送信アンテナを新設送信アンテナに取替えるようにしたものであり、以下に詳細を説明する。
【００１２】
図１において、１１は既存の鉄塔で、その上端部分に既設アンテナ取付柱１２が支点支持金物により固定されている。すなわち、既設アンテナ取付柱１２は、鉄塔１１の最上端部のＡ部において図２（ａ）に示すように上部支持金具２６により支持されていると共に、鉄塔１１の最上端部から所定距離下がった所（Ｂ部）の支持構体に下部支持金具２７により下端部が支持されている。
【００１３】
そして、上記既設アンテナ取付柱１２の上端部には、現行の送信アンテナ例えばアナログＴＶ放送用の既設送信アンテナ１３が取付けられている。この既設送信アンテナ１３は、パネル型のアンテナで、水平面指向性が多方向例えば２方向となるように既設アンテナ取付柱１２に取付けられている。また、上記鉄塔１１には、図示しないがアナログＴＶ放送受信用のアンテナが取付けられている。
【００１４】
上記鉄塔１１に対して新しいアンテナを取付ける場合、例えば予め昼間時にアンテナ取付けの準備工事を行ない、放送終了後の夜間に新規アンテナの取付け工事を行なう。
【００１５】
まず、昼間時における準備工事について説明する。  
［準備工事］（昼間作業）
（１）図２（ａ）に示すように鉄塔１１の上部側面、すなわち既設送信アンテナ１３を移設する方向とは反対側の側面に仮設架台として台棒（デレッキ）２１を取付ける。この台棒２１は、例えば鉄枠により角棒状に形成したもので、鉄塔１１の頂部から上方に突出させ、既設送信アンテナ１３よりも高くなるように設置する。
【００１６】
（２）上記台棒２１に、既設アンテナ取付柱１２の移設に際し、頂部の振止め行なうための頂部振止金物２２を取付ける。この頂部振止金物２２は、図２（ｂ）に示すように既設アンテナ取付柱１２の両側を挟むように台棒２１に取付けられ、既設アンテナ取付柱１２の移動をガイドするようになっている。上記頂部振止金物２２は、既設アンテナ取付柱１２の移動先よりも長く形成される。
【００１７】
（３）鉄塔１１の上部にアンテナの移設用架台２３を取付ける。この移設用架台２３は、図２（ａ）、（ｂ）に示すように例えば既設アンテナ取付柱１２の下端部から鉄塔１１の頂部を含む範囲で、且つ前方、すなわち既設アンテナ取付柱１２の移動方向に突出して設けられる。また、移設用架台２３は、下部が台棒２１側にも所定長さ突出して設けられ、この突出部分が作業台として使用される。  
（４）既設送信アンテナ１３の方位を既設アンテナ取付柱１２及び移設用架台２３等にマーキングする。
【００１８】
（５）鉄塔１１の頂部と既設アンテナ取付柱１２の下部との間にレバーブロック２５を取付け、既設アンテナ取付柱１２が下がらないようにレバーブロック２５で吊す。
【００１９】
（６）図２（ｂ）に示すように鉄塔１１の頂部及び１段下のアンテナ取付柱移動方向の鉄塔部材１１ａを一時取外す。
【００２０】
（７）鉄塔１１の頂部にて既設アンテナ取付柱１２を支持している上部支持金具２６を取外す。
【００２１】
（８）既設アンテナ取付柱１２の下部を角材（図示せず）等により鉄塔１１に固定し、既設アンテナ取付柱１２の振れ止め処理を行なう。
【００２２】
（９）既設アンテナ取付柱１２の下端部を鉄塔１１に固定している下部支持金具２７を取外す。
【００２３】
（１０）上記移設用架台２３には、既設アンテナ取付柱１２の下端部とアンテナ移設位置を結ぶ位置に滑り板２８を取付け、既設アンテナ取付柱１２が滑り板２８上を移設方向に摺動移動できるようにする。
【００２４】
（１１）上記項番（５）で鉄塔１１の頂部と既設アンテナ取付柱１２の下部との間に取付けたレバーブロック２５を取外す。
【００２５】
（１２）台棒２１と既設アンテナ取付柱１２の上部位置との間にジャッキ２９ｂを取付けると共に、台棒２１と既設アンテナ取付柱１２の下部位置との間にジャッキ２９ａを取付ける。すなわち、ジャッキ２９ａ、２９ｂにより既設アンテナ取付柱１２を滑り板２８上において移設方向へ押し出せるようにする。
【００２６】
（１３）既設送信アンテナ１３に対する主給電線（図示せず）を固定している固定具を取り外し、主給電線がある程度自由に動けるようにする。
【００２７】
以上で昼間時におけるアンテナ取付けの準備工事を終了する。  
そして、上記既設送信アンテナ１３による放送を終了した夜間の停波時において、次に示す既設アンテナ移設工事を実行する。
【００２８】
［既設アンテナ移設工事］（夜間作業）
（１４）上記項番（８）で既設アンテナ取付柱１２に取付けた振れ止めを取外した後、図２に示すように、台棒２１と既設アンテナ取付柱１２の上部及び下部との間に取付けたジャッキ２９ａ、２９ｂを操作し、繰り出し距離を均等に保ちながら押し出して既設アンテナ取付柱１２を矢印ａで示すように所定の移設位置まで移動させる。すなわち、新規アンテナの取付スペースを確保できる位置まで既設アンテナ取付柱１２を所定距離例えば約８０ｃｍ程度移動させる。この場合、既設送信アンテナ１４の方位が初期の状態に保たれるようにする。
【００２９】
（１５）既設アンテナ取付柱１２を所定の移設位置まで移動させた後、上部支持金具２６及び下部支持金具２７により移設用架台２３に固定する。
【００３０】
（１６）上記項番（６）で鉄塔１１から取外した鉄塔部材１１ａを再び鉄塔１１に取付ける。  
（１７）台棒２１から頂部振止金物２２を取外す。
【００３１】
上記夜間における既設アンテナ移設工事を終了した後、昼間時に次の新規アンテナ取付工事を行なう。
【００３２】
［新設アンテナ取付工事］（昼間作業）
（１８）図３に示すように台棒２１の上部と地上との間に索道３１を設置すると共に地上側にウインチ３２を設置する。
【００３３】
（１９）新設送信アンテナ３３を地上で組み立て、新設アンテナ取付柱３４に取付けた状態で、上記索道３１及びウインチ３２により鉄塔１１の上部に吊り上げ、上記既設送信アンテナ１３の移設により確保したスペースに据え付ける。すなわち新設アンテナ取付柱３４を上部支持金具３５及び下部支持金具３６により鉄塔１１に固定する。このとき新設送信アンテナ３３の方位を既設送信アンテナ１３の方位に合わせる。上記新設送信アンテナ３３は、例えばデジタルＴＶ放送及びアナログＴＶ放送に共用できる双ループアンテナ等を使用した送信アンテナであり、水平面指向性が２方向の場合を例として示している。
【００３４】
なお、上記新設送信アンテナ３３は、各部品を索道３１により鉄塔１１の上部に引き上げ、塔上で組み立てるようにしても良い。  
上記新設アンテナ取付工事を終了した後、夜間における放送終了後の停波時間に次に示すアンテナ切替工事を行なう。  
［アンテナ切替工事］（夜間作業）
（２０）既設送信アンテナ１３から新設送信アンテナ３３への切替を行なう。例えば電力分配器に主給電線及び分岐ケーブル等を接続し、新設送信アンテナ３３に給電できるようにする。
【００３５】
その後、昼間時に次に示すアンテナ及び仮設架台等の撤去工事を行なう。  
［仮設架台等の撤去工事］（昼間作業）
（２１）移設した既設送信アンテナ１３を既設アンテナ取付柱１２と共に移設用架台２３から取外して索道３１により吊下げ、ウインチ３２にて地上に吊り下ろす。図４（ａ）は、移設用架台２３から既設アンテナ取付柱１２及び既設送信アンテナ１３を撤去した状態を示している。
【００３６】
（２２）更に、台棒２１から移設用架台２３及び索道３１等、アンテナ取付工事に使用したものを全て撤去する。図４（ｂ）は、新設アンテナ取付工事を完了した状態を示している。  
以上で新設送信アンテナ３３の取付作業及び既設送信アンテナ１３の撤去作業を終了する。
【００３７】
上記実施形態で示したように既設の鉄塔１１に台棒２１及び移設用架台２３を取付け、更に既設アンテナ取付柱１２の上部に頂部振止金物２２を、下側に滑り板２８を取付けることで、放送終了後の停波時間を利用して既設送信アンテナ１３を既設アンテナ取付柱１２と共に前方に移設することができる。そして、上記既設送信アンテナ１３を前方に移設することによりアンテナ設置スペースを設けることができるので、そのスペースに新設送信アンテナ３３を設置することができる。この新設送信アンテナ３３によって、例えばアナログＴＶ放送とデジタルＴＶ放送の電波を送信することができる。
【００３８】
また、上記実施形態で示したアンテナの取付方法を使用することで、鉄塔１１が高くてクレーン車を使用できない場合、あるいは山間地などクレーン車が進入できないような場所においても、既存の鉄塔１１に新設送信アンテナ３３を設置することができる。
【００３９】
また、昼間時に台棒２１、移設用架台２３の取付けなど送信に影響を与えない準備工事を行なっているので、送信を停止した夜間における工事を短時間で行なうことが可能である。  
なお、昼間時に既設送信アンテナ１３の送信を停止できる状況であれば、上記夜間における工事を昼間時に行なっても良いことは勿論である。  
また、上記実施形態によれば、水平面指向性が２方向の新設送信アンテナを設置する場合について示したが、更に多方向の水平面指向性を有するアンテナを設置する場合であっても、上記実施形態と同様にして実施し得るものである。
【００４０】
また、本発明は、上記実施形態そのままに限定されるものではなく、実施段階ではその要旨を逸脱しない範囲で具体化できるものである。
【図面の簡単な説明】
【００４１】
【図１】アンテナの取付工事を開始する前の状態を示す鉄塔全体の側面図である。
【図２】本発明の一実施形態に係るアンテナ取付工事の作業工程を示すもので、（ａ）は既設送信アンテナの移設作業を説明するための鉄塔上部の側面図、（ｂ）は同上面図である。
【図３】（ａ）は同実施形態における新設送信アンテナの設置作業を説明するための鉄塔全体を示す側面図、（ｂ）は同鉄塔上部の側面図である。
【図４】（ａ）は同実施形態における既設送信アンテナを撤去した状態を示す鉄塔上部の側面図、（ｂ）は新設送信アンテナの取付け完了後の状態を示す鉄塔上部の側面図である。
【符号の説明】
【００４２】
１１…鉄塔、１１ａ…鉄塔部材、１２…既設アンテナ取付柱、１３…既設送信アンテナ、２１…台棒、２２…頂部振止金物、２３…移設用架台、２５…レバーブロック、２６…上部支持金具、２７…下部支持金具、２８…滑り板、２９ａ、２９ｂ…ジャッキ、３１…索道、３２…ウインチ、３３…新設送信アンテナ、３４…新設アンテナ取付柱、３５…上部支持金具、３６…下部支持金具。
【図１】
2006211108.tif 000003
【図２】
2006211108.tif 000004
【図３】
2006211108.tif 000005
【図４】
2006211108.tif 000006